(57)【特許請求の範囲】
【請求項１】
目地の側傍に固定された受枠上に、前記目地を覆うカバー体の側縁を摺動可能に支持する構造を備えた目地カバー装置において、
前記受枠の、カバー体の支持面に、合成ゴムからなる弾性層の上面にテフロンからなる滑性層を積層してなるシート体を固着したことを特徴とする目地カバー装置のカバー体支持手段。
【請求項２】
前記シート体を、弾性層の下面に配設したブチルゴムを基材とする接着層を介して受枠の支持面上に固着したことを特徴とする請求項１に記載した目地カバー装置のカバー体支持手段。
【請求項３】
前記シート体の、弾性層と滑性層との接合面に相互に噛合する凹凸を形成し、該凹凸を噛合させた状態で前記接合面相互を接着剤を介して接合したことを特徴とする請求項１に記載した目地カバー装置のカバー体支持手段。
【発明の詳細な説明】
【０００１】
【発明の属する技術分野】
本発明は、摺動性及び防音性に優れた目地カバー装置のカバー体支持手段に関する。
【０００２】
【従来の技術】
目地カバー装置にあって、目地の側傍に固定された受枠上に、前記目地を覆うカバー体の側縁を摺動可能に支持する構造を備えた目地カバー装置は種々知られている。
【０００３】
図１はその一形態を示すものであって、建物Ａの床ｆと、該床ｆに目地ｓを介して隣接する地盤Ｂとの間に差し渡されて前記目地ｓを覆うカバー体Ｃの一端を、前記床ｆの側縁に連結手段４を介して揺動可能に連結し、該カバー体Ｃの他端を自由端５とする一方、前記地盤Ｂの側縁に受枠２を配設し、該受枠２の支持面２ａ上に固着したシート体ａからなる支持手段を介して、前記カバー体Ｃの自由端５を摺動可能に支持するようにしており、建物Ａと地盤Ｂとが地震等によって相対変位した場合に、カバー体Ｃの自由端５がシート体ａを介して受枠２上を摺動してその相対変位に追従し得るようになっている。
【０００４】
【発明が解決しようとする課題】
従来、受枠２に固着される前記シート体ａは、カバー体Ｃの自由端５の摺動が容易となるように、滑性面を構成し得るテフロン素材を用いて形成されたものが使用されているが、このテフロン製のシート体ａは、硬く、弾性がないため、受枠２の支持面２ａやカバー体Ｃの被支持面になじみにくく、ガタ付いて騒音が生じるという問題点があった。また、防音性を得るためにゴム素材を用いてシート体ａを形成すると、滑性がないため、カバー体Ｃの自由端５の円滑な摺動性が得られないという問題点があった。
【０００５】
本発明は、かかる従来の問題点を解消し得る目地カバー装置のカバー体支持手段の提供を目的とするのもである。
【０００６】
【課題を解決するための手段】
本発明は、目地の側傍に固定された受枠上に、前記目地を覆うカバー体の側縁を摺動可能に支持する構造を備えた目地カバー装置において、前記受枠の、カバー体の支持面に、合成ゴムからなる弾性層の上面にテフロンからなる滑性層を積層してなるシート体を固着したことを特徴とする目地カバー装置のカバー体支持手段である。
【０００７】
かかる構成にあって、シート体の下部の合成ゴムからなる弾性層の弾性及び緩衝作用によって、支持されたカバー体の側縁がガタ付かず、騒音発生が防止される。また、シート体の上部のテフロンからなる滑性層によって、カバー体を円滑に摺動させることができる。これにより、優れた摺動性と防音性を同時に得ることができる。
【０００８】
また、前記構成にあって、シート体を、弾性層の下面に配設したブチルゴムを基材とする接着層を介して受枠の支持面上に固着するようにした構成が好適な実施態様として提案され得る。このようにブチルゴムを基材とする接着層によって、シート体を受枠の支持面上に固着することにより、ブチルゴム基材の柔軟かつ高い弾性作用によって、被接着面である受枠によくなじみ、良好かつ強力な接着作用が得られる。
【０００９】
さらに、前記構成にあって、シート体の、弾性層と滑性層との接合面に相互に噛合する凹凸を形成し、該凹凸を噛合させた状態で前記接合面相互を接着剤を介して接合するようにした構成が好適な実施態様として提案され得る。このように構成することにより、凹凸の相互噛合によって弾性層と滑性層とが位置ずれせず、また、接合面積が拡大することによって、その接合を強固なものとすることができる。
【００１０】
【発明の実施の形態】
添付図面について本発明の一実施例を説明する。
【００１１】
図１は、本発明を適用した目地カバー装置１を示し、該目地カバー装置１は、目地ｓの側傍に固定された受枠２上に、前記目地ｓを覆うカバー体Ｃの側縁を摺動可能に支持する構造を備えている。
【００１２】
即ち、Ａは建物、Ｂは該建物Ａに目地ｓを介して隣接する人工の地盤であって、該地盤Ｂの側縁上には、左右方向（目地ｓに直交する方向）に比較的長い支持面２ａと、該支持面２ａの外端から地盤Ｂの上面３に向けて上り勾配で傾斜する傾斜面２ｂとを備えた受枠２が配設されている。
【００１３】
建物Ａと地盤Ｂとの間には、カバー体Ｃが差し渡され、目地ｓを覆っている。該カバー体Ｃは、目地ｓの長手方向に沿って複数個が連続状に配設されるものであって、各カバー体Ｃは、その一端が建物Ａの床ｆの側縁上に連結手段４を介して揺動可能に連結され、他端を自由端５としており、該自由端５が前記受枠２の支持面２ａ上に後述のシート体１０からなる支持手段を介して摺動可能に乗載されている。
【００１４】
前記自由端５の外端には、その下面から外端上面に向けて傾斜する傾斜端縁６が設けられており、該傾斜端縁６は、前記受枠２の傾斜面２ｂと略同一勾配となっている。ここで、カバー体Ｃの自由端５は、その傾斜端縁６と前記受枠２の傾斜面２ｂとの間に適宜幅の空隙が生じるようにして支持面２ａのシート体１０上に乗載されており、この空隙を作動空隙７としている。
【００１５】
さらに、カバー体Ｃの自由端５には、前記傾斜端縁６の上部からカバー体Ｃの上面８と略面一となるようにして端部カバー板９が地盤Ｂ側に向けて延出されており、該端部カバー板９の外端が地盤Ｂの上面３に摺動可能に乗載されている。そして、該端部カバー板９によって、前記作動空隙７の上方を遮蔽するようにしている。
【００１６】
かかる目地カバー装置１は、地震時において、建物Ａと、隣接する地盤Ｂとが近接する方向に比較的小さく相対変位すると、図２イに示すように、カバー体Ｃの自由端５が受枠２の支持面２ａのシート体１０上を作動空隙７の範囲内で水平に摺動してその相対変位に追従し、さらに大きく相対変位すると、カバー体Ｃは、図２ロに示すように、連結手段４により連結された一端を支点として、自由端５に形成された傾斜端縁６が、受枠２の傾斜面２ｂに沿ってずれ上がることにより、その相対変位から逃げることができる。また、建物Ａと、隣接する地盤Ｂとが離れる方向に相対変位すると、カバー体Ｃは、その自由端５が受枠２のシート体１０上を、傾斜面２ｂと逆方向に向けて水平に摺動してその相対変位に追従する。
【００１７】
また、建物Ａと、隣接する地盤Ｂとが前後方向（目地ｓに沿う方向）に相対変位すると、カバー体Ｃの自由端５は、受枠２の支持面２ａのシート体１０上を前後方向に摺動してその相対変位に追従する。さらに、建物Ａと、隣接する地盤Ｂとが上下方向に相対変位すると、カバー体Ｃは、連結手段４により建物Ａの床ｆの側縁に連結された一端を支点として、建物Ａもしくは隣接する地盤Ｂの上下動に伴なって傾動して、その相対変位に追従する。
【００１８】
そして、地震が終って建物Ａと地盤Ｂとが定常位置に戻ると、これに伴なってカバー体Ｃの自由端５も、図１に示した受枠２上の定常位置に戻り、カバー体Ｃが定常状態に復帰する。
【００１９】
次に、本発明の要部について説明する。
【００２０】
前記カバー体Ｃの自由端５が乗載される受枠２の支持面２ａ上のシート体１０は、図３に示すように、合成ゴムからなる弾性層１１の上面にテフロン（du Pont 社の商標；テトラフルオロエチレンの重合体）からなる滑性層１２を積層してなるものであって、前記弾性層１１の下面には、ブチルゴムを基材とする接着層１３が配設されており、該接着層１３の接着力によって受枠２の支持面２ａ上に固着されている。これにより、カバー体支持手段が構成されている。
【００２１】
前記弾性層１１を構成する合成ゴムとしては、クロロプレンゴム（ＣＲゴム），ポリクロロプレンゴム，ポリイソプレンゴム，ポリイソブチレンゴム，シリコーンゴム，ニトリルゴム，ＳＢＲ等が挙げられるが、その内でも耐候性，耐オゾン性，耐熱老化性，耐油性，難燃性等に優れたクロロプレンゴム（ＣＲゴム）が好適に使用され得る。また、前記接着層１３は、ブチルゴムと粘着剤とを混合してシ−ト化したものや、あるいはシ−ト状に形成されたブチルゴムの表裏面に粘着剤を塗着したもの等により構成されている。
【００２２】
また、前記弾性層１１と滑性層１２との接合面には、相互に噛合する凹凸１４が形成されており、該凹凸１４を噛合させた状態で前記接合面相互が接着剤１５を介して接合されている。これにより、凹凸１４の相互噛合によって弾性層１１と滑性層１２とが位置ずれせず、また、接合面積が拡大することによって、その接合が強固になるようにしている。
【００２３】
かかる構成にあって、ブチルゴムを基材とする接着層１３によって、シート体１０が受枠２の支持面２ａ上に固着されていることにより、ブチルゴム基材の柔軟かつ高い弾性作用によって、被接着面である受枠２の支持面２ａによくなじみ、シート体１０を良好かつ強力に固着させることができる。
【００２４】
そして、このように受枠２の支持面２ａにシート体１０を固着した状態において、該シート体１０上にカバー体Ｃの自由端５を乗載して支持させることにより、シート体１０の下部の合成ゴムからなる弾性層１１の弾性作用によって寸法誤差，施工誤差等が吸収されることとなり、さらに弾性層１１が緩衝作用も有することにより、カバー体Ｃ上を通行しても該カバー体Ｃがガタ付かず、騒音が生じない。また、地震時にあっては、シート体１０の上部のテフロンからなる滑性層１２によって、カバー体Ｃの自由端５を円滑に摺動させることができる。これにより、優れた摺動性と防音性を同時に得ることができる。
【００２５】
尚、上述の実施例においては、ブチルゴムを基材とする接着層１３によって、シート体１０の弾性層１１の下面を受枠２の支持面２ａに固着するようにしているが、この接着層１３に代えて、硬化しても適度の弾性を有する接着剤によってシート体１０を固着するようにしてもよい。ここで、実施例のようにブチルゴムを基材とする接着層１３を用いれば、上述したように、ブチルゴム基材の柔軟かつ高い弾性作用によって、被接着面である受枠２の支持面２ａによくなじみ、また強い接着力を得ることができる。また、該接着層１３を弾性層１１の下面にその接着力を介して接合しておくことにより、支持面２ａへの施工が容易となる利点がある。
【００２６】
また、実施例では、カバー体Ｃの一端を、建物Ａの床ｆの側縁上に連結手段４を介して揺動可能に連結し、他端を自由端５として、該自由端５を地盤Ｂの側縁上に配設した受枠２上に摺動可能に乗載するようにした目地カバー装置１について説明したが、本発明は、受枠上に、目地を覆うカバー体の側縁を摺動可能に支持する構造を備えたその他の目地カバー装置にも適用することが可能である。
【００２７】
【発明の効果】
本発明は、上述のように、目地ｓの側傍に固定された受枠２上に、前記目地ｓを覆うカバー体Ｃの側縁を摺動可能に支持する構造を備えた目地カバー装置１において、前記受枠２の、カバー体Ｃの支持面２ａに、合成ゴムからなる弾性層１１の上面にテフロンからなる滑性層１２を積層してなるシート体１０を固着するようにしたから、該シート体１０の下部の合成ゴムからなる弾性層１１の弾性及び緩衝作用によって、支持されたカバー体Ｃの側縁がガタ付かず、騒音発生を防止することができる。また、シート体１０の上部のテフロンからなる滑性層１２によって、カバー体Ｃを円滑に摺動させることができる。これにより、優れた摺動性と防音性を同時に得ることができる。
【００２８】
また、前記シート体１０を、弾性層１１の下面に配設したブチルゴムを基材とする接着層１３を介して受枠２の支持面２ａ上に固着した場合には、ブチルゴム基材の柔軟かつ高い弾性作用によって、被接着面である受枠２の支持面２ａによくなじみ、良好かつ強力な接着作用を得ることができる。
【００２９】
さらに、前記シート体１０の、弾性層１１と滑性層１２との接合面に相互に噛合する凹凸１４を形成し、該凹凸１４を噛合させた状態で前記接合面相互を接着剤を介して接合するようにしたから、該凹凸１４の相互噛合によって弾性層１１と滑性層１２とが位置ずれせず、また、接合面積が拡大することによって、その接合を強固にし得る等の優れた効果がある。
【図面の簡単な説明】
【図１】本発明に係るカバー体支持手段を適用した目地カバー装置の概略側断面図である。
【図２】カバー体の摺動状態を示す概略側断面図である。
【図３】シート体の拡大縦断面図である。
【符号の説明】
Ａ  建物
Ｂ  地盤
Ｃ  カバー体
ｓ  目地
１  目地カバー装置
２  受枠
２ａ  支持面
５  自由端（側縁）
１０  シート体
１１  弾性層
１２  滑性層
１３  接着層
１４  凹凸
【図１】
0003844387.tif 000002
【図２】
0003844387.tif 000003
【図３】
0003844387.tif 000004